(57)【要約】【課題】電子機器において専用部品を用いることなく簡易に特殊動作をおこなわせ、特殊動作が不要となった場合に特殊動作を自動的に終了させる。【解決手段】付加機器を接続することが可能な機器接続部と、前記付加機器が前記機器接続部に接続されているか否かを検出する接続検出部と、電子機器を標準動作させる標準動作モードと前記電子機器を特殊動作させる特殊動作モードとを選択するモード選択部と、を備え、前記モード選択部は、前記付加機器が前記機器接続部に接続されていない場合には、標準動作モードを選択する、電子機器が提供される。【選択図】図１
2010171647.tif 000002
【特許請求の範囲】
【請求項１】
付加機器を接続することが可能な機器接続部と、
前記付加機器が前記機器接続部に接続されているか否かを検出する接続検出部と、
電子機器を標準動作させる標準動作モードと前記電子機器を特殊動作させる特殊動作モードとを選択するモード選択部と、
を備え、
前記モード選択部は、前記付加機器が前記機器接続部に接続されていない場合には、標準動作モードを選択する、電子機器。
【請求項２】
前記モード選択部は、前記接続検出部が前記付加機器の接続解除を検出した場合に、標準動作モードを選択する、請求項１に記載の電子機器。
【請求項３】
さらに、前記電子機器を特殊動作モードで動作させる開始コマンドの入力と、前記電子機器の特殊動作モードを解除する解除コマンドの入力を検出するコマンド検出部と、
開始コマンドを記憶する記憶部と、を備え、
前記モード選択部は、前記記憶部に前記開始コマンドが記憶されており、前記付加機器が前記機器接続部に接続されている場合に、特殊動作モードを選択する、請求項１に記載の電子機器。
【請求項４】
前記記憶部は、前記機器接続部が前記付加機器の接続解除を検出した場合に、前記開始コマンドをリセットする、請求項３に記載の電子機器。
【請求項５】
前記記憶部は、所定時間経過後に、前記開始コマンドをリセットする、請求項３に記載の電子機器。
【請求項６】
前記記憶部は、前記特殊動作が完了してから所定時間経過後に、前記開始コマンドをリセットする、請求項５に記載の電子機器。
【請求項７】
前記モード選択部は、前記付加機器の機能の種類及び組み合わせに応じて特殊動作モードの動作方法を変化させる、請求項１又は３に記載の電子機器。
【請求項８】
付加機器が機器接続部に接続されているか否かを検出する検出ステップと、
電子機器を標準動作させる標準動作モードと前記電子機器を特殊動作させる特殊動作モードとを選択する選択ステップとを含み、
前記選択ステップは、前記付加機器が前記機器接続部に接続されていない場合には、標準動作モードを選択する、電子機器の制御方法。
【請求項９】
前記モード選択ステップは、前記接続検出部が前記付加機器の接続解除を検出した場合に、標準動作モードを選択する、請求項８に記載の電子機器の制御方法。
【請求項１０】
さらに、前記電子機器を特殊動作モードで動作させる開始コマンドの入力と、前記電子機器の特殊動作モードを解除する解除コマンドの入力を検出するコマンド検出ステップと、
開始コマンドを記憶する記憶ステップと、を含み、
前記選択ステップは、前記記憶ステップで前記開始コマンドが記憶されており、前記付加機器が前記機器接続部に接続されている場合に、特殊動作モードを選択する、請求項８に記載の電子機器の制御方法。
【請求項１１】
前記記憶ステップは、前記機器接続部が前記付加機器の接続解除を検出した場合に、前記開始コマンドをリセットする、請求項１０に記載の電子機器の制御方法。
【請求項１２】
前記記憶ステップは、所定時間経過後に、前記開始コマンドをリセットする、請求項１０に記載の電子機器の制御方法。
【請求項１３】
前記記憶ステップは、前記特殊動作が完了してから所定時間経過後に、前記開始コマンドをリセットする、請求項１２に記載の電子機器の制御方法。
【請求項１４】
前記選択ステップは、前記付加機器の機能の種類及び組み合わせに応じて特殊動作モードの動作方法を変化させる、請求項８又は１０に記載の電子機器の制御方法。
【請求項１５】
付加機器が機器接続部に接続されているか否かを検出する検出ステップと、
電子機器を標準動作させる標準動作モードと前記電子機器を特殊動作させる特殊動作モードとを選択する選択ステップとを含み、
前記選択ステップは、前記付加機器が前記機器接続部に接続されていない場合には、標準動作モードを選択するように、電子機器を機能させるための制御プログラム。
【発明の詳細な説明】
【技術分野】
【０００１】
本発明は、電子機器、電子機器の制御方法及び制御プログラムに関する。より詳しくは、付加機器を接続することができ、特殊動作モードで動作させることが可能な電子機器、電子機器の制御方法及び制御プログラムに関する。
【背景技術】
【０００２】
電子機器を店頭販売するに際し、電子機器の機能が自動的に実演されるように設定して展示することが一般におこなわれる。このような展示方法は、店頭販売において電子機器が有する機能を来店者にわかりやすく説明するとともに、より魅力的にアピールすることができるので、電子機器の売り上げを拡大するうえで重要な要素の１つとなり得る。
【０００３】
従来の電子機器においては、本体キーやリモコンのなどで一定のコマンドを入力することによって電子機器が実演動作などの特殊動作をおこなう状態となり、その状態をクリアするには、もう一度同じ操作をして制御することが通例になっていた。したがって、店頭販売において特殊動作をおこなうように設定された電子機器は、ユーザーに販売する際に販売店の店員が忘れずに初期状態に戻す必要がある。この作業を忘れてしまうと、電子機器が特殊動作をおこなうように設定された状態のまま、ユーザーの手元に渡ることとなり、ユーザーが不測の不利益を被ることが考えられる。
【０００４】
電子機器に特殊動作をおこなわせるための従来の技術としては、例えば、デジタルカメラが専用クレードルに設置されたときにデモンストレーションモードに切り替わる技術が公開されている（例えば、下記特許文献１参照）。この文献には、例えば、デジタルカメラを専用クレードルに設置してから分離された後においてもデモンストレーションモードでの動作を継続させる技術が開示されている。また、デジタルカメラが専用クレードルに設置したときにデモンストレーションモードとなり、専用クレードルから分離されたときにデモンストレーションモードを終了させる技術が開示されている。
【先行技術文献】
【特許文献】
【０００５】
【特許文献１】特開２００３−２７１１１７号公報
【発明の概要】
【発明が解決しようとする課題】
【０００６】
しかし、上記特許文献１において、デジタルカメラが専用クレードルとの分離後にもデモンストレーションモードでの動作を継続するものであると、デモンストレーションモードでの動作が継続された状態でユーザーの手元に届くおそれがある。デモンストレーションモードでの動作が継続されていると、ユーザーに不測の不利益をもたらすという問題があり、特にユーザーの情報リタラシー度が低い場合には、上述した不利益がさらに大きくなることが考えられる。
【０００７】
また、上記特許文献１において、デジタルカメラが専用クレードルに接続されたときのみにデモンストレーションモードでの動作をおこなうものであると、専用クレードルに接続されていないときにはデモンストレーションでの動作をおこなわせることができない。したがって、店頭販売において電子機器が有する機能を効果的にアピールできないという問題があった。
【０００８】
また、上記特許文献１による技術は、専用クレードルという本体とは別の部品を用意する必要があり、サイズが大きくなることによって流通コストが増加するという問題があった。また、別途部品を設計しなければならないことから、製品のコストがさらに高まるという問題があった。
【０００９】
そこで、本発明は、上記問題に鑑みてなされたものであり、本発明の目的とするところは、専用部品を用いることなく簡易に特殊動作をおこなわせることができ、また、特殊動作が不要となった場合に特殊動作を自動的に終了させることができる、新規かつ改良された電子機器を提供することにある。
【課題を解決するための手段】
【００１０】
上記課題を解決するために、本発明のある観点によれば、付加機器を接続することが可能な機器接続部と、前記付加機器が前記機器接続部に接続されているか否かを検出する接続検出部と、電子機器を標準動作させる標準動作モードと前記電子機器を特殊動作させる特殊動作モードとを選択するモード選択部と、を備え、前記モード選択部は、前記付加機器が前記機器接続部に接続されていない場合には、標準動作モードを選択する、電子機器が提供される。
【００１１】
上記構成を有する電子機器は、接続検出部によって付加機器が接続されているか否かが検出され、付加機器の接続が解除されると特殊動作モードでの動作が自動終了するので、特殊動作モードを終了し忘れることがない。
【００１２】
前記モード選択部は、前記接続検出部が前記付加機器の接続解除を検出した場合に、標準動作モードを選択するようにしてもよい。
【００１３】
なお、接続検出部が付加機器の接続解除を検出した場合とは、電子機器が動作しているときに付加機器の接続が解除された場合に限られず、電子機器が動作を停止している時に付加機器の接続が解除された場合も含むようにしてもよい。
【００１４】
前記電子機器は、さらに、前記電子機器を特殊動作モードで動作させる開始コマンドの入力と、前記電子機器の特殊動作モードを解除する解除コマンドの入力を検出するコマンド検出部と、開始コマンドを記憶する記憶部と、を備え、前記モード選択部は、前記記憶部に前記開始コマンドが記憶されており、前記付加機器が前記機器接続部に接続されている場合に、特殊動作モードを選択するようにしてもよい。
【００１５】
前記記憶部は、前記機器接続部が前記付加機器の接続解除を検出した場合に、前記開始コマンドをリセットするようにしてもよい。
【００１６】
前記記憶部は、所定時間経過後に、前記開始コマンドをリセットするようにしてもよい。
【００１７】
前記記憶部は、前記特殊動作が完了してから所定時間経過後に、前記開始コマンドをリセットするようにしてもよい。
【００１８】
前記モード選択部は、前記付加機器の機能の種類及び組み合わせに応じて特殊動作モードの動作方法を変化させるようにしてもよい。
【００１９】
上記課題を解決するために、本発明のある別の観点によれば、付加機器が機器接続部に接続されているか否かを検出する検出ステップと、電子機器を標準動作させる標準動作モードと前記電子機器を特殊動作させる特殊動作モードとを選択する選択ステップとを含み、前記選択ステップは、前記付加機器が前記機器接続部に接続されていない場合には、標準動作モードを選択する、電子機器の制御方法が提供される。
【００２０】
上記構成を有する電子機器の制御方法は、検出ステップによって付加機器が接続されているか否かが検出され、付加機器の接続が解除されると特殊動作モードでの動作が自動終了し、特殊動作モードを終了し忘れないように制御することができる。
【００２１】
前記モード選択ステップは、前記接続検出部が前記付加機器の接続解除を検出した場合に、標準動作モードを選択するようにしてもよい。
【００２２】
電子機器の制御方法は、さらに、前記電子機器を特殊動作モードで動作させる開始コマンドの入力と、前記電子機器の特殊動作モードを解除する解除コマンドの入力を検出するコマンド検出ステップと、開始コマンドを記憶する記憶ステップと、を含み、前記選択ステップは、前記記憶ステップで前記開始コマンドが記憶されており、前記付加機器が前記機器接続部に接続されている場合に、特殊動作モードを選択するようにしてもよい。
【００２３】
前記記憶ステップは、前記機器接続部が前記付加機器の接続解除を検出した場合に、前記開始コマンドをリセットするようにしてもよい。
【００２４】
前記記憶ステップは、所定時間経過後に、前記開始コマンドをリセットするようにしてもよい。
【００２５】
前記記憶ステップは、前記特殊動作が完了してから所定時間経過後に、前記開始コマンドをリセットするようにしてもよい。
【００２６】
前記選択ステップは、前記付加機器の機能の種類及び組み合わせに応じて特殊動作モードの動作方法を変化させるようにしてもよい。
【００２７】
上記課題を解決するために、本発明のある別の観点によれば、付加機器が機器接続部に接続されているか否かを検出する検出ステップと、電子機器を標準動作させる標準動作モードと前記電子機器を特殊動作させる特殊動作モードとを選択する選択ステップとを含み、前記選択ステップは、前記付加機器が前記機器接続部に接続されていない場合には、標準動作モードを選択するように、電子機器を機能させるための制御プログラムが提供される。
【発明の効果】
【００２８】
以上説明したように本発明によれば、電子機器において専用部品を用いることなく簡易に特殊動作をおこなわせることができ、また、特殊動作が不要となった場合に特殊動作を自動的に終了させることができる。
【図面の簡単な説明】
【００２９】
【図１】本発明を適用可能な電子機器のハードウェア構成を示す図である。
【図２】本発明を適用可能な電子機器がオーディオ装置である場合におけるハードウェア構成例を示す図である。
【図３】本発明を適用可能な電子機器がオーディオ装置である場合におけるハードウェア構成例を示す図である。
【図４】本発明を適用可能な電子機器がオーディオ装置である場合におけるハードウェア構成例を示す図である。
【図５】本発明を適用可能な電子機器のモード選択の一例を示すフローチャートである。
【図６】本発明を適用可能な電子機器のモード選択の一例を示す説明図である。
【図７】本発明を適用可能な電子機器のモード選択の一例を示すフローチャートである。
【図８】本発明を適用可能な電子機器の記録部の動作方法を示すフローチャートである。
【図９】本発明を適用可能な電子機器のモード選択の一例を示す説明図である。
【図１０】本発明を適用可能な電子機器のモード選択の一例を示す説明図である。
【発明を実施するための形態】
【００３０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３１】
（電子機器１００のハードウェア構成）
まず、図１を参照しながら、本発明を適用可能な電子機器１００のハードウェア構成について詳細に説明する。図１は、本発明を適用可能な電子機器１００のハードウェア構成を示すブロック図である。
【００３２】
図１に示されるように、本発明を適用可能な電子機器１００は、接続検出部１１０と、モード選択部１２０と、機器接続部１３０と、を備える。
【００３３】
電子機器１００は、付加機器２００を接続することができる機器であれば特に限定されない。電子機器１００は、例えば、オーディオ装置、映像録画装置、映像表示装置、デジタルカメラ、携帯電話、パーソナルコンピューター、家庭用ゲーム機、各種デジタル家電機器、又は、その他の機器であってもよい。
【００３４】
付加機器２００は、電子機器１００に接続されて機能するものであれば特に限定されない。例えば、電子機器１００がオーディオ装置である場合には、付加機器２００は、スピーカ又はヘッドフォン等の音声出力装置、液晶ディスプレイなどの映像出力装置、又は、音楽データなどが記録された記録媒体などで構成されていてもよい。また、付加機器２００は、ランプなどの表示装置のように各種情報をユーザに対して視覚的に通知することが可能な装置で構成されていてもよい。
【００３５】
また、付加機器２００は、電子機器と共に販売される機器であってもよく、別途購入された機器であってもよい。付加機器２００は、専用品でもよいし、汎用品でもよい。また、電子機器１００に接続される付加機器２００は、１個又は２個以上の装置であってもよく、また、１種又は２種以上の装置で構成されていてもよい。
【００３６】
接続検出部１１０は、機器接続部１３０に付加機器２００が接続されているか否かを検出し、接続されているか否かの情報をモード選択部１２０及び／又は記憶部１４０に伝達する。接続検出部１１０は、例えば、機器接続部１３０における電圧の変化に応じて、機器接続部１３０に付加機器２００が接続されているか否かを検出することができる。
【００３７】
また、接続検出部１１０は、接続されている付加機器２００の機能の種類及び組み合わせなどの構成情報をさらに検出するように動作してもよい。接続検出部１１０は、接続検出部１１０と付加機器２００とが双方向通信おこなうことによって付加機器の構成情報を取得するように動作してもよい。
【００３８】
モード選択部１２０は、電子機器１００が特殊動作モード又は標準動作モードのいずれで動作するかを選択する。モード選択部１２０は、付加機器２００が機器接続部１３０に接続されていない場合に標準動作モードを選択する。機器接続部１３０に接続されている場合に特殊動作モードを選択するようにしてもよい。
【００３９】
ここで、「標準動作モード」とは、ユーザーが電子機器を使用するための通常の動作をおこなうように設定されたモードである。また、「特殊動作モード」とは、標準動作以外の動作をおこなうように設定されたモードである。特殊動作モードは、例えば、電子機器の機能を自動的に実演して示すデモンストレーションを目的とした動作、出荷前に電子機器の性能検査をすることを目的とした試験動作、又は、その他の特殊動作をおこなうように設定されたモードある。特殊動作モードは、例えば、電子機器が２種以上の動作を同時又は交互におこなうよう動作をおこなうモードであってもよい。
【００４０】
また、モード選択部１２０は、付加機器の機能の種類及び組み合わせに応じて特殊動作モードの動作方法を変化させてもよい。例えば、電子機器がオーディオ装置であり、付加機器が５．１チャンネルの音声信号対応スピーカーである場合、モード選択部は、特殊動作として、５．１チャンネルの音声信号をスピーカーに出力する実演動作を選択することができる。また、電子機器がオーディオ装置であり、付加機器としてマイクとスピーカーとが接続されている場合には、特殊動作として、音楽再生機能と集音拡声機能とを同時におこなう実演動作を選択することができる。このように付加機器の種類や組み合わせに応じてより効果的な特殊動作を選択することが可能となる。
【００４１】
機器接続部１３０は、付加機器２００を接続することができる。接続方法は特に限定されず、有線方式、無線方式のいずれであってもよい。例えば、電子機器１００がオーディオ装置であれば、機器接続部１３０は、オーディオ出力端子、映像出力端子で構成されていてもよい。また、電子機器１００と付加機器２００とが双方向通信をおこなうように構成されていてもよい。
【００４２】
有線方式である場合は、例えば、ＵＳＢ（Ｕｎｉｖｅｒｓａｌ  Ｓｅｒｉａｌ  Ｂｕｓ）、ＩＥＥＥ１３９４などの通常用いられる形式で接続することができる。付加機器が映像表示装置である場合には、例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブルで接続されていてもよい。
【００４３】
無線方式である場合は、例えば、赤外線通信、可視光通信、ＲＦ通信、Ｂｌｕｅｔｏｏｔｈ、ＩＥＥＥ８０２．１１ａ／ｂ／ｇ等の様々な通信形態を利用して接続することができる。
【００４４】
電子機器１００は、さらに、記憶部１４０と、コマンド検出部１５０とを備えていてもよい。
【００４５】
記憶部１４０は、例えば、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の半導体メモリにより構成される。記憶部１４０は、コマンド検出部１５０において開始コマンドの入力が検出されると、開始コマンドが入力されたことを記憶する。記憶部１４０は、コマンド検出部１５０において特殊動作モードを解除する解除コマンドの入力が検出されると、開始コマンドが入力された状態をリセットする。また、記憶部１４０は、モード選択部１２０に開始コマンドが入力されているか否かの情報を提供することができる。なお、記憶部１４０は、コマンド入力以外の情報を記録するものであってもよい。記憶部１４０は、電子機器が動作しているときだけでなく、動作を停止している時にも、記憶を保持しつづけるように構成されることが好ましい。
【００４６】
コマンド検出部１５０は、電子機器１００を特殊動作モードで動作させる開始コマンドの入力、及び、電子機器１００の特殊動作モードを解除する解除コマンドの入力を検出する。また、コマンド検出部１５０は、コマンドの入力を記憶部１４０に伝達する。コマンド検出部１５０は、入力部１６０で入力される開始コマンド及び解除コマンドを検出するように動作させることができる。コマンド検出部１５０は、入力部１６０によらない別の方法で入力される開始コマンド及び解除コマンドを検出するように動作してもよい。コマンド検出部１５０は、電子機器が動作しているときだけでなく、動作を停止している時にも、動作しつづけるように構成されることが好ましい。
【００４７】
電子機器１００は、一般には、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＥＥＰＲＯＭ等の演算装置及び記憶装置を備える。電子機器１００は、これらの演算装置などによって、接続検出部１１０、モード選択部１２０、機器接続部１３０、記憶部１４０、コマンド検出部１５０、入力部１６０などを動作させるように構成される。
【００４８】
電子機器１００は、さらに、入力部１６０を備えていてもよい。
【００４９】
入力部１６０は、電子機器１００を特殊動作モードで動作させる開始コマンド、及び、電子機器１００の特殊動作モードを解除する解除コマンドを入力するための入力装置である。ユーザーが誤ってコマンドを入力してしまうと、ユーザーの意に反して特殊動作モードでの動作が開始してしまうおそれがあるので、開始コマンド及び解除コマンドには、ユーザーが通常使用しない操作を割り振ることが好ましい。電子機器１００がオーディオ装置である場合、例えば、電源ボタンと再生ボタンとを同時に所定時間以上押すことによって開始コマンドが入力され、同じ操作を行うと解除コマンドが入力されたと判断するように構成してもよい。また、オーディオ装置の背面などに専用の入力装置を備えていてもよい。
【００５０】
電子機器１００は、さらに、副電源１７０を備えていてもよい。
【００５１】
副電源１７０は、外部電源３００と電子機器１００とが接続されていないときに記憶部１４０及びコマンド検出部１５０を動作させることができる。副電源１７０は、例えば、充電池とすることができる。二次電池は、例えば、１２時間以上駆動可能な充電池（２次電池）であることが好ましい。
【００５２】
副電源１７０が１２時間以上駆動可能であれば、実際の製造ライン、販売店の営業に適応するように記憶部１４０及びコマンド検出部１５０を動作させることができる。実際の製造ライン及び販売店の営業においては、外部電源３００と電子機器１００との接続を解除してから１２時間以内に電子機器１００と付加機器２００との接続を解除して出荷又は販売することがほとんどである。そのため、外部電源３００との接続が解除された後においても、付加機器２００と電子機器１００との接続が解除されたことを検知できるので、解除コマンドを入力しなくても自動的に特殊動作モードを終了させることができる。そのため、特殊動作モードの設定が不要になったときに、電子機器１００は、自動的に標準動作モードで動作する。
【００５３】
（オーディオ装置のハードウェア構成例）
続いて、図２〜図４を参照しながら、本発明を適用可能な電子機器１００がオーディオ装置である場合における、ハードウェア構成例について詳細に説明する。
【００５４】
図２に示されているオーディオ装置において、ボタン１６２は主電源をオン又はオフにするため入力装置であり、ボタン１６４は音楽再生を開始又は一時停止させるための入力装置である。図２のオーディオ装置において、例えば、ボタン１６２とボタン１６４とを同時に所定時間以上押すことをコマンド入力とみなすことができる。例えば、ボタン１６２とボタン１６４とを同時に所定時間以上押すと、開始コマンドが入力されたと判断し、同様の操作を再度おこなったときに解除コマンドが入力されたと判断することができる。
【００５５】
図３（ａ）に示されている構成例は、オーディオ装置１０１に付加機器であるステレオスピーカー２０１及び２０２がそれぞれ接続され、接続が維持されている状態を示す。図３（ｂ）に示されている構成例は、オーディオ装置１０２に付加機器であるステレオスピーカー２０３及び２０４と、付加機器であるマイク２０５とが接続され、接続が維持されている状態を示す。図３（ｃ）に示されている構成例は、オーディオ装置１０３に付加機器であるステレオスピーカー２０５及び２０６と、付加機器であるカートリッジ２０７が接続され、接続が維持されている状態を示す。図３（ａ）〜（ｃ）のオーディオ装置には、付加機器が接続され、付加機器の接続状態が維持されている。したがって、これらの構成例の場合、モード選択部は、開始コマンドが入力されていた場合、解除コマンドが入力されない限り、特殊動作モードを選択することができる。
【００５６】
図４（ｄ）に示されている構成例は、オーディオ装置２０４に付加機器であるステレオスピーカー２０８及び２０９が接続されていたが、接続が解除され、オーディオ装置２０４に付加機器が接続されなくなった状態を示す。図４（ｅ）に示されている構成例は、オーディオ装置２０５に付加機器であるステレオスピーカー２１０及び２１１と、付加機器であるマイク２１２とが接続されていたが、マイク２１２の接続が解除された状態を示す。図４（ｆ）に示されている構成例は、オーディオ装置２０６に付加機器であるステレオスピーカー２１３及び２１４と、付加機器であるカートリッジ２１５とが接続されていたが、カートリッジ２１５の接続が解除された状態を示す。図４（ｄ）〜（ｆ）の構成例の場合、オーディオ装置と付加機器との接続が解除されたので、モード選択部は、特殊動作モードでの動作を自動的に終了させて標準動作モードを選択することができる。なお、図４（ｅ）及び（ｆ）に示されている構成例のオーディオ装置は、一部の付加機器との接続が維持されているので、上述したように、特殊動作モードの動作方法を変更するように構成されていてもよい。
【００５７】
（モード選択動作の具体例１）
続いて、図５を参照しながら、電子機器１００が接続検出部１１０と、モード選択部１２０と、機器接続部１３０とを備える場合のモード選択動作について詳細に説明する。図５は、この場合のモード選択動作を示すフローチャートである。
【００５８】
図５のように動作する電子機器は、電源が投入されると、モード選択部が処理を開始する（ステップＳ１０）。モード選択部は、電子機器に特殊動作モードの開始コマンドが与えられていなければ、標準動作モードを選択し、特殊動作モードの開始コマンドが与えられていれば、次のステップに移行する（ステップＳ１１）。なお、電子機器は、通常、特殊動作モードの開始コマンドが与えられていない状態が初期状態となるように設計される。続いて、モード選択部は、機器接続部に付加機器が接続されている場合に特殊動作モードを選択し、機器接続部に付加機器が接続されていない場合に標準動作モードを選択する（ステップＳ１２）。
【００５９】
特殊動作モードを選択した場合（ステップＳ１３）、及び、標準動作モードを選択した場合（ステップＳ１４）のいずれの場合においても、モード選択部は、処理を開始できる状態に戻る。つまり、電子機器は、電源投入時だけでなく、電子機器の動作中にもモードを変更することができるように構成されている。電子機器の動作中におけるモード選択部の処理（ステップＳ１０）は、コマンド入力時や付加機器の接続状況に変化があった時に開始されるように設定してもよいし、所定時間ごとにおこなうように設定してもよい。
【００６０】
図５のように動作する電子機器は、例えば、特殊動作モードで動作するように設定し、付加機器の接続を維持した状態で電源オフにし、その後、電源オンにすると、開始コマンドによる再設定をしなくても特殊動作モードでの動作を自動的に再開することができる。また、電子機器の電源をオンにし、接続検出部が動作可能な状態で付加機器の接続を解除すれば、特殊動作モードでの動作が自動的に終了するので、解除コマンドを入力しなくても標準動作モードで動作させることができる。
【００６１】
続いて、図６を参照しながら、電子機器１００が接続検出部１１０と、モード選択部１２０と、機器接続部１３０とを備え、図５のように動作する場合のモード選択動作について説明する。図６は、電子機器１００が接続検出部１１０と、モード選択部１２０と、機器接続部１３０とを備える場合のモード選択を示す説明図である。
【００６２】
図６において、電子機器に特殊動作モードの開始コマンドが与えられていないか、又は、機器接続部に付加機器が接続されていない場合に標準動作モードが選択される。また、電子機器に特殊動作モードの開始コマンドが与えられ、かつ、機器接続部に付加機器が接続されている場合に特殊動作モードが選択される。なお、特殊動作モードの開始コマンドが与えられているか否かの判断と、機器接続部に付加機器が接続されているか否かの判断とは、どちらを先におこなってもよい。電子機器の素早い起動を可能にする観点から、特殊動作モードの開始コマンドが与えられているか否かの判断を先におこなうように構成してもよい。
【００６３】
図５及び図６のように動作する電子機器は、接続検出部が動作しないときに付加機器と電子機器との接続が解除された場合、接続検出部が付加機器の接続解除を検出することができないので、特殊動作モードでの動作を自動的に終了することができない。この場合、電子機器が特殊動作モードで動作する状態のままユーザーの手元に渡ってしまう可能性がある。以下の具体例２ａでは、この可能性を排除することができるように、電子機器がさらに記憶部及びコマンド検出部を備える場合について説明する。
【００６４】
（モード選択動作の具体例２ａ）
続いて、図７を参照しながら、電子機器１００が接続検出部１１０と、モード選択部１２０と、機器接続部１３０に加えて、さらに、記憶部１４０と、コマンド検出部１５０とを備える場合におけるモード選択動作について詳細に説明する。図７は、この場合のモード選択動作を示すフローチャートである。
【００６５】
図７のように動作する電子機器は、電源が投入されると、モード選択部が処理を開始する（ステップＳ２０）。モード選択部は、開始コマンドの入力が記憶部に記憶されていない場合に標準動作モードを選択し、開始コマンドの入力が記憶部に記憶されている場合に特殊動作モードを選択する（ステップＳ２１）。
【００６６】
上記ステップＳ２１において、特殊動作モードを選択した場合（ステップＳ２２）、及び、標準動作モードを選択した場合（ステップＳ２３）のいずれの場合においても、モード選択部は、処理を開始できる状態に戻る。そのため、電子機器は、電源投入時だけではなく、電子機器の動作中にも動作モードを変更することができる。
【００６７】
（記憶部の動作）
続いて、図８を参照しながら、記憶部１４０の動作について詳細に説明する。図８は、記憶部の動作を示すフローチャートである。
【００６８】
記憶部が動作を開始すると、まず、記録部は、開始コマンドの入力が記録されていない初期状態となり、コマンド検出部が開始コマンドの入力を検出するまで待機する状態となる（ステップＳ３０）。コマンド検出部によって開始コマンドの入力が検出される（ステップＳ３１）と、記録部は、開始コマンドが入力されたことを記録し、次のコマンドなどが入力されるまで待機する状態となる（ステップＳ３２）。続いて、記憶部は、コマンド検出部で解除コマンドの入力が検出されるか、又は、接続検出部で付加機器の接続が解除されたことが検出されると、開始コマンドの入力が記録されていない状態に戻る（ステップＳ３３）。その後、記憶部は、コマンド検出部が開始コマンドの入力を検出するまで待機する（ステップＳ３０）。
【００６９】
続いて、図９を参照しながら、電子機器１００が接続検出部１１０と、モード選択部１２０と、機器接続部１３０に加えて、さらに、記憶部１４０と、コマンド検出部１５０とを備える場合におけるモード選択動作について説明する。図９は、電子機器が図７のフローチャートに示されているようにモード選択をおこない、記憶部が図８のフローチャートに示されているように動作する場合のモード選択を示す説明図である。
【００７０】
図９において、特殊動作モードの開始コマンドが入力され、かつ、機器接続部から付加機器が接続解除されたことが検出されなかった場合には、記憶部に開始コマンドの入力が記憶されているので、特殊動作モードが選択される。特殊動作モードの開始コマンドが入力されていないか、又は、機器接続部から付加機器が接続解除が検出された場合には、記憶部に開始コマンドの入力が記憶されていないので、標準動作モードが選択される。
【００７１】
図９のように動作する電子機器は、例えば、主電源がオンにされていない時にもコマンド検出部が動作するように構成されていれば、主電源がオンにされていない時にも付加機器の接続解除を検出し、記憶部の開始コマンドの入力を自動的にリセットできる。また、記憶部は、電子機器の主電源がオフにされている時にも開始コマンドが入力された状態及び入力されていない状態を記憶して保持することができる。そのため、電子機器の主電源がオフにされている時に付加機器との接続を解除し、かつ、特殊動作モードを解除するコマンドを入力せずに電子機器を販売しても、電子機器が自動的に標準動作モードに移行し、ユーザーが不利益を被ることがない。
【００７２】
その一方で、図９のように動作する電子機器は、外部電源との接続が解除され、接続検出部が動作していないときに付加機器との接続が解除される場合、記憶部の開始コマンドをリセットすることができない。この場合、電子機器が特殊動作モードで動作する状態のままユーザーの手元に渡ってしまう可能性がある。そこで、電子機器は、さらに副電源を備え、外部電源との接続が解除された後においても接続検出部が付加機器の接続解除を検出できるように構成されていてもよい。そのように構成された電子機器は、外部電源が接続されていない状態でも付加機器の接続解除を検出し、記憶部の開始コマンド入力をリセットすることができるので、特殊動作モードでの動作を自動的に終了することができる。
【００７３】
また、図９のように動作する電子機器は、開始コマンドの入力が記録部に半永久的に残るように構成されていると、例えば、接続検出部が動作しないときに付加機器との接続が解除され、かつ、解除コマンドが入力されない場合、開始コマンドの入力が記憶部に残る。この場合、記憶部に開始コマンドの入力が残り続けるので、特殊動作モードで動作する状態のまま、電子機器がユーザーの手元に渡ってしまう可能性がある。そこで、記憶部に記憶されている開始コマンドの入力情報を所定時間経過後に自動的にリセットされるように電子機器を構成してもよい。以下の具体例２ｂでは、記憶部が所定時間経過後に自動的にリセットされるように構成される場合について説明する。
【００７４】
（モード選択動作の具体例２ｂ）
続いて、図１０を参照しながら、記憶部が所定時間経過後に開始コマンドをリセットするように構成された場合のモード選択動作について説明する。図１０は、この場合のモード選択を示す説明図である。なお、図９と図１０とでは、記憶部が所定時間経過後に開始コマンドをリセットするように動作するか否かが異なっており、それ以外は、同様に動作する。
【００７５】
図１０において、特殊動作モードの開始コマンドが入力され、かつ、機器接続部から付加機器が接続解除されたことが検出されなかった場合には、記憶部に開始コマンドの入力が記憶されているので、特殊動作モードが選択される。特殊動作モードの開始コマンドが入力されていないか、機器接続部から付加機器が接続解除が検出されたか、又は、所定時間経過している場合には、記憶部に開始コマンドの入力が記憶されていないので、標準動作モードが選択される。なお、所定時間の経過は、例えば、電子機器が直近におこなった特殊動作が完了してからの経過時間とすることができる。
【００７６】
図１０のように動作する電子機器は、例えば、開始コマンドの入力が記憶部に記憶され、かつ、接続検出部が動作しないときに付加機器との接続が解除され、かつ、解除コマンドが入力されなかった場合にも、所定時間が経過すると自動的に記憶部がリセットされる。そのため、工場や販売店からユーザーの手元に届くまでに所定時間が経過すれば、記憶部における開始コマンドの入力が自動的にリセットされ、電子機器は、自動的に標準動作モードで動作することになる。したがって、特殊動作モードに設定されたままユーザーの手元に渡ることをより確実に防止することができる。
【００７７】
（本発明を適用可能な制御プログラム）
本発明を適用可能な制御プログラムは、本発明に係る電子機器と同様に電子機器の制御をおこなうことができる。本発明に係る制御プログラムは、コンピュータが備える記憶部に格納され、コンピュータが備えるＣＰＵに読み込まれて実行されることにより、そのコンピュータを上記の情報処理装置として機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【００７８】
以上、添付図面を参照しながら本発明の好適な実施形態について詳細に説明したが、かかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７９】
１００    電子機器
１１０    接続検出部
１２０    モード選択部
１３０    機器接続部
１４０    記憶部
１５０    コマンド検出部
１６０    入力部
１７０    副電源
２００    付加機器
３００    外部電源
【図１】
2010171647.tif 000003
【図２】
2010171647.tif 000004
【図３】
2010171647.tif 000005
【図４】
2010171647.tif 000006
【図５】
2010171647.tif 000007
【図６】
2010171647.tif 000008
【図７】
2010171647.tif 000009
【図８】
2010171647.tif 000010
【図９】
2010171647.tif 000011
【図１０】
2010171647.tif 000012